(57)【要約】【課題】ナット保持構造において、ナットの回転を抑制することにある。【解決手段】ナット２２の回転に伴い第１の筐体３１に加わる力Ｆ発生方向と、第１の筐体３１および第２の筐体３２が離間する筐体離間方向とが直交している。このため、ナット２２の回転に伴って第１の筐体３１および第２の筐体３２が離間する方向に力が加わることが抑制される。よって、ナット２２の回転を抑制できる。従って、ねじ２０のナット２２への締結を通じた、接続端子１１ａ，１２ａへの外部端子の接続を確実に行うことができる。【選択図】図５
2014056734.tif 000002
【特許請求の範囲】
【請求項１】
回路開閉器の端子部におけるナットの周囲を囲む第１の筐体および第２の筐体からなるナット保持構造において、
前記第１の筐体と前記第２の筐体が離間する方向と、前記ナットの回転に伴い前記第１の筐体又は前記第２の筐体に対して加わる力の方向と、を異ならせた
ことを特徴とするナット保持構造。
【請求項２】
請求項１に記載のナット保持構造において、
前記第１の筐体と前記第２の筐体が離間する方向と、前記ナットの回転に伴い前記第１の筐体又は前記第２の筐体に対して加わる力の方向と、を直交させた
ことを特徴とするナット保持構造。
【請求項３】
請求項２に記載のナット保持構造において、
前記ナットは６角ナットであって、
前記６角ナットは、その同一の面方向を有する２つの側面が前記第１の筐体と前記第２の筐体が離間する方向にて前記第１の筐体および前記第２の筐体に保持され、
前記ナットの回転に伴い前記２つの側面が前記第１の筐体又は前記第２の筐体に対して、前記離間する方向と直交する方向に力を加える
ナット保持構造。
【請求項４】
請求項２に記載のナット保持構造において、
前記ナットは６角ナットであって、
前記６角ナットは、その同一の面方向を有する２つの側面が前記第１の筐体と前記第２の筐体が離間する方向にて前記第１の筐体および前記第２の筐体に保持され、
前記ナットの回転に伴い前記２つの側面がそれぞれ前記第１の筐体および前記第２の筐体に対して前記離間する方向に直交する方向に力を加える
ナット保持構造。
【発明の詳細な説明】
【技術分野】
【０００１】
この発明は、ナット保持構造に関する。
【背景技術】
【０００２】
従来、直流電路を遮断可能に構成される直流開閉器（直流遮断器）が知られている（例えば、特許文献１参照）。この直流開閉器には、外部端子が接続される接続端子が設けられている。そして、この接続端子には、ねじが螺合されるナットが設けられている。ねじのナットへの締結力を介して外部端子が接続端子の一部に圧接される。よって、外部端子と接続端子との接続状態が確保される。
【０００３】
例えば、図７に示すように、このナット１０１は、その側面が直流開閉器の外周を覆う２つの筐体１０５ａ，１０５ｂによって囲まれている。両筐体１０５ａ，１０５ｂは、図中の上下方向に離間可能に構成されている。ナット１０１の外周面が筐体１０５ａ，１０５ｂに当接することで、ナットの回転が規制される。これにより、上記締結が確実に行われる。
【先行技術文献】
【特許文献】
【０００４】
【特許文献１】特開２００１−１８５２５２号公報
【発明の概要】
【発明が解決しようとする課題】
【０００５】
上記図７の構成において、ナット１０１が回転すると、それに伴い、両筐体１０５ａ，１０５ｂには、それらが互いに離間する方向に力Ｆが加わる。よって、ナット１０１が
両筐体１０５ａ，１０５ｂ間の隙間を押し広げることで、ナットの回転が可能となる。このため、ねじのナット１０１への締結が適切にできないおそれがある。
【０００６】
この発明は、こうした実情に鑑みてなされたものであり、その目的は、ナットの回転を抑制したナット保持構造を提供することにある。
【課題を解決するための手段】
【０００７】
以下、上記目的を達成するための手段について説明する。
上記課題を解決するために、回路開閉器の端子部におけるナットの周囲を囲む第１の筐体および第２の筐体からなるナット保持構造において、前記第１の筐体と前記第２の筐体が離間する方向と、前記ナットの回転に伴い前記第１の筐体又は前記第２の筐体に対して加わる力の方向と、を異ならせたことを特徴とする。
【０００８】
また、上記構成において、前記第１の筐体と前記第２の筐体が離間する方向と、前記ナットの回転に伴い前記第１の筐体又は前記第２の筐体に対して加わる力の方向と、を直交させることが好ましい。
【０００９】
また、上記構成において、前記ナットは６角ナットであって、前記６角ナットは、その同一の面方向を有する２つの側面が前記第１の筐体と前記第２の筐体が離間する方向にて前記第１の筐体および前記第２の筐体に保持され、前記ナットの回転に伴い前記２つの側面が前記第１の筐体又は前記第２の筐体に対して、前記離間する方向と直交する方向に力を加えることが好ましい。
【００１０】
また、上記構成において、前記ナットは６角ナットであって、前記６角ナットは、その同一の面方向を有する２つの側面が前記第１の筐体と前記第２の筐体が離間する方向にて前記第１の筐体および前記第２の筐体に保持され、前記ナットの回転に伴い前記２つの側面がそれぞれ前記第１の筐体および前記第２の筐体に対して前記離間する方向に直交する方向に力を加えることが好ましい。
【発明の効果】
【００１１】
本発明によれば、ナット保持構造において、ナットの回転を抑制できる。
【図面の簡単な説明】
【００１２】
【図１】本発明の一実施形態における直流開閉器の側面図。
【図２】図１の２−２線の正面図。
【図３】本発明の一実施形態における直流開閉器の接続端子の拡大図。
【図４】図２の４−４線の断面図。
【図５】本発明の一実施形態における図４の拡大図。
【図６】他の実施形態における直流開閉器の端子の拡大断面図。
【図７】背景技術における直流開閉器の端子の拡大断面図。
【発明を実施するための形態】
【００１３】
以下、本発明に係る直流開閉器（直流遮断器）を太陽光発電システムに適用した一実施形態について図１〜図５を参照して説明する。
図１に示すように、直流遮断器１は、略直方状に形成されるとともに、プラス極およびマイナス極に対応した電路１０ａ，１０ｂを有する。各電路１０ａ，１０ｂの両端部は、直流遮断器１の外周を覆う筐体から突出した接続端子１１ａ，１１ｂ，１２ａ，１２ｂとして形成されている。
【００１４】
図３に拡大して示すように、接続端子１１ａ，１１ｂ，１２ａ，１２ｂは、ねじ２０と、導通部材２１と、ナット２２と、押圧部材２４と、を備える。導通部材２１は、直流遮断器１の各電路１０ａ，１０ｂに導通している。ナット２２は正６角形に形成されるとともに、導通部材２１の下面に設けられている。ナット２２には、ねじ２０が上側から螺合されている。ねじ２０は、ナット２２に締結されることで、押圧部材２４を介して外部端子＋Ｐ１，−Ｐ１，＋Ｐ２，−Ｐ２を、導通部材２１との間で圧接する。これが接続端子１１ａ，１１ｂ，１２ａ，１２ｂに外部端子＋Ｐ１，−Ｐ１，＋Ｐ２，−Ｐ２が接続された状態である。
【００１５】
図１に示すように、接続端子１１ａ，１１ｂには、太陽光パネル（図示略）のプラス側外部端子＋Ｐ１、マイナス端子−Ｐ１がそれぞれ接続されている。接続端子１１ａ，１１ｂは、高さ方向および幅方向ともに異なる位置に設けられている。
【００１６】
また、接続端子１２ａ，１２ｂには、電力変換装置（図示略）のプラス側外部端子＋Ｐ２、マイナス側外部端子−Ｐ２がそれぞれ接続されている。図２に示すように、接続端子１２ａ，１２ｂは、高さ方向および幅方向ともに異なる位置に設けられている。
【００１７】
直流遮断器１は、太陽光パネルと電力変換装置との間に位置し、太陽光パネルと電力変換装置との間を導通状態および遮断状態間で切り替える。
図４に示すように、直流遮断器１は、第１〜第３の筐体３１〜３３で覆われてなる。第１〜第３の筐体３１〜３３は、互いに組み合わされるとともに、組み合わされた状態で幅方向において左から第１〜第３の筐体３１〜３３の順に位置する。すなわち、各筐体３１〜３３は幅方向に互いに離間可能に構成されている。
【００１８】
図５に拡大して示すように、第１の筐体３１には、接続端子１１ａ，１２ａにおけるナット２２の右側の２つの側面２２ａ，２２ｂを除く４つの側面２２ｃ，２２ｄ，２２ｅ，２２ｆを覆うナット穴３１ａが形成されている。両ナット穴３１ａは、ナット２２の外周に応じた形状で形成されるとともに、図中の右側に開口している。接続端子１１ａ，１２ａのナット２２は、互いに対面するとともに、同一の面方向を有する２つの側面２２ｃ，２２ｆが幅方向（図中左右方向）に沿う向きでナット穴３１ａ内に位置している。
【００１９】
また、図５に示すように、ナット穴３１ａにおいてナット２２の側面２２ｄ，２２ｅに対向する部分にはリブ３５が形成されている。リブ３５は、ナット２２の側面２２ｄ，２２ｅを押圧可能に形成されている。
【００２０】
図４に示すように、第２の筐体３２は、接続端子１１ａ，１２ａの右側面を覆う、すなわち、上記ナット穴３１ａを覆うように形成されている。図４に示すように、第２の筐体３２に第３の筐体３３がはめ込まれることで、接続端子１１ｂ，１２ｂ（正確にはそのナット２２）が第２の筐体３２および第３の筐体３３に囲まれた状態となる。
【００２１】
次に、直流遮断器１の内部構成について説明する。
図１に示すように、直流遮断器１は、上記各電路１０ａ，１０ｂを構成する開閉部３０ａ，３０ｂと、ハンドル１５と、リンク機構１６と、を備える。この図１は、第３の筐体３３を取り外した直流遮断器１の側面図である。開閉部３０ａ，３０ｂは、対応する電路１０ａ，１０ｂを導通状態と遮断状態との間で切り替え可能に構成される。
【００２２】
ハンドル１５はその操作部１５ａが外部に露出している。また、リンク機構１６は、ハンドル１５の回転に伴い開閉部３０ａ，３０ｂの状態（導通状態および遮断状態）を切り替える。
【００２３】
次に、図５を参照しつつ、接続端子１１ａのナット２２の作用について説明する。
例えば、ねじ２０が工具を通じてナット２２に螺合される際、ナット２２に時計回り方向のトルクが加わったとする。この場合、ナット２２の２つの側面２２ｃ，２２ｆ（詳しくは、側面２２ｆの左端部、側面２２ｃの右端部）がそれぞれナット穴３１ａの内周面を押すことで、第１の筐体３１には上下方向（長手方向）の力Ｆが発生する。ここで、上記のように、第１の筐体３１および第２の筐体３２が離間する筐体離間方向は幅方向である。すなわち、力Ｆ発生方向と筐体離間方向とが直交している。よって、力Ｆによって、第１の筐体３１および第２の筐体３２が離間してナット２２の回動が可能となることが抑制される。接続端子１２ａも同様に、そのナット２２の回転が抑制される。
【００２４】
なお、第１の筐体３１および第２の筐体３２はナット保持構造に相当する。
以上、説明した実施形態によれば、以下の効果を奏することができる。
（１）図５に示すように、ナット２２の回転に伴い第１の筐体３１に加わる力Ｆの発生方向と、第１の筐体３１および第２の筐体３２が離間する筐体離間方向とが直交している。このため、ナット２２の回転に伴って第１の筐体３１および第２の筐体３２が離間する方向に力が加わることが抑制される。よって、ナット２２の回転を抑制できる。従って、ねじ２０のナット２２への締結を通じた、接続端子１１ａ，１１ｂ，１２ａ，１２ｂへの外部端子＋Ｐ１，−Ｐ１，＋Ｐ２，−Ｐ２の接続を確実に行うことができる。
【００２５】
（２）リブ３５を通じてナット２２がその中心軸側に向かって押圧される。よって、ナット穴３１ａ内におけるナット２２の回転が抑制される。
（３）ナット２２は、その側面２２ｃ，２２ｆを通じて第１の筐体３１にのみ力Ｆを加える。よって、第１の筐体３１および第２の筐体３２が離間する力が加わることが抑制される。
【００２６】
なお、上記実施形態は、これを適宜変更した以下の形態にて実施することができる。
・上記実施形態におけるナット２２を囲む筐体の形状は適宜変更可能である。例えば、図６に示すように、第１の筐体５１には、ナット２２の上側の３つの側面２２ａ，２２ｆ，２２ｅを覆うナット穴５１ａが形成されている。すなわち、このナット穴５１ａは、下側に開口している。第２の筐体５２は、第１の筐体５１の右側からはめ込まれるものであって、その下端が左右反転させたＬ字状に形成される。このＬ字状において左側に延出する延出部５２ａの内面がナット２２の側面２２ｃに当接している。本構成において、ナット２２に時計回り方向の力が加わった場合、側面２２ｃ，２２ｆがそれぞれ第１の筐体５１および第２の筐体５２に上下方向へ力を加える。よって、第１の筐体５１および第２の筐体５２に上下方向への力Ｆが発生する。しかし、本構成においても、第１の筐体５１および第２の筐体５２が離間する筐体離間方向は、力Ｆが発生する方向と直交する。このため、
上記実施形態と異なる筐体の構成であっても、第１の筐体５１と第２の筐体５２との離間を通じたナット２２の回動が抑制される。
【００２７】
・上記実施形態においては、ナット２２の回転に伴い第１の筐体３１に加わる力Ｆ発生方向と、第１の筐体３１および第２の筐体３２が離間する筐体離間方向とを直交させていた。しかし、少なくとも力Ｆ発生方向と筐体離間方向とが異なっていれば、ナット２２の回転が抑制される。
【００２８】
・上記実施形態においては、ナット２２は正６角形のナットであったが、その他の多角形ナットであってもよい。
・上記実施形態においては、第１の筐体３１にのみ２つのリブ３５が設けられていたが、第２の筐体３２にもリブ３５が設けられていてもよい。さらに、両筐体３１，３２にリブ３５が設けられていてもよい。また、リブ３５の数も適宜変更可能である。
【００２９】
・また、リブ３５を省略してもよい。
・上記実施形態においては、各電路１０ａ，１０ｂの接続端子１１ａ，１１ｂには太陽光パネル（図示略）のプラス側外部端子、マイナス側外部端子がそれぞれ接続されていた。しかし、各電路１０ａ，１０ｂの接続端子１１ａ，１１ｂに各太陽光パネル（図示略）からのプラス側外部端子のみ、又はマイナス側外部端子のみを接続してもよい。電力変換装置と接続端子１２ａ，１２ｂとの接続についても同様である。また、接続端子１１ａ，１１ｂと接続端子１２ａ，１２ｂとを逆に使用してもよい。
【００３０】
・上記実施形態においては、直流遮断器１は２つの電路１０ａ，１０ｂを有していたが、３つ以上の電路を有していてもよい。
・上記実施形態においては、直流遮断器１を太陽パネルに接続していたが、直流遮断器１を他の直流電圧源に接続してもよい。
【００３１】
・回路開閉器であれば、直流遮断器１に限らない。
次に、前記実施形態から把握できる技術的思想をその効果と共に記載する。
（イ）請求項１〜４の何れか一項に記載のナット保持構造において、前記第１の筐体および前記第２の筐体の少なくとも何れかにおけるナットに対応する箇所には、前記ナットをその中心側に押圧するリブが設けられたことを特徴とするナット保持構造。
【００３２】
（ロ）請求項１〜４、（イ）の何れか一項に記載のナット保持構造において、前記ナットにはねじが螺合されて、当該ねじの前記ナットへの締結力を通じて、外部端子を保持することを特徴とするナット保持構造。
【符号の説明】
【００３３】
１…直流遮断器、１０ａ，１０ｂ…電路、１１ａ，１１ｂ，１２ａ，１２ｂ…接続端子（端子部）、１５…ハンドル、１５ａ…操作部、１６…リンク機構、２２…ナット、３０ａ，３０ｂ…開閉部、３１〜３３…第１〜第３の筐体、３５…リブ。
【図１】
2014056734.tif 000003
【図２】
2014056734.tif 000004
【図３】
2014056734.tif 000005
【図４】
2014056734.tif 000006
【図５】
2014056734.tif 000007
【図６】
2014056734.tif 000008
【図７】
2014056734.tif 000009